(57)【要約】【課題】マウスの幅方向を狭めることができるマウスを提供する。【解決手段】  本考案のマウス１は、その上面に前後方向に並ぶように機能ボタン２、３を具えている。これにより、一般的なマウスよりも幅方向を狭めることができ、スリムにすることができる。また、マウス１の上面に置いた指の指先の動作によって前後の機能ボタン２、３をそれぞれ押すことができ、マウス１を操作することができる。【選択図】図１
0003125129.tif 000002
【実用新案登録請求の範囲】
【請求項１】
パーソナルコンピュータに用いるマウスであって、該マウス本体の上部には、水平部と、垂直部と、指を置くための指置部とを具え、前記水平部および前記垂直部にそれぞれ機能ボタンを配設して両機能ボタンを前後方向に位置させ、前記指置部の上部に置いた指、あるいは覆った指で前記両機能ボタンをそれぞれ押圧可能としたことを特徴とするマウス。
【請求項２】
前記水平部に下方に押圧可能な機能ボタンを、また、前記垂直部に後方に押圧可能な機能ボタンをそれぞれ配設した請求項１記載のマウス。
【請求項３】
パーソナルコンピュータに用いるマウスであって、該マウス本体の上部には、水平部と、垂直部と、指を置くための指置部とを具え、前記水平部および前記垂直部にそれぞれ機能ボタンを配設して両機能ボタンを前後方向に位置させ、前記指置部の上部に置いた指、あるいは覆った指で前記両機能ボタンをそれぞれ押圧可能とし、さらに前記マウス本体に回転可能なスクロール板を配設し、このスクロール板はその操作に応じて通常のスクロール機能や高速のスクロール機能を発揮させることを特徴とするマウス。
【請求項４】
前記水平部に下方に押圧可能な機能ボタンを、また、前記垂直部に後方に押圧可能な機能ボタンをそれぞれ配設した請求項３に記載のマウス。
【考案の詳細な説明】
【技術分野】
【０００１】
本考案は、パーソナルコンピュータの入力装置であるマウスに関する。
【背景技術】
【０００２】
マウスは、パーソナルコンピュータの入力装置として使用されており、パーソナルコンピュータ上のファイルの選択や実行等の操作をすることができる左右の機能ボタンと、移動方向および移動距離を検出するための検出部と、パーソナルコンピュータと接続するための接続部とを具えているものが知られている。
【０００３】
このマウスは、机上等の平面上で水平方向に移動させることで、検出部によって移動方向および移動距離が検出される。そして、この検出部によって検出された移動方向および移動距離は信号に変換されて機能ボタンを押した際に出力され、この信号は接続部を介してパーソナルコンピュータに伝達されることで、パーソナルコンピュータを操作することができる（例えば、特許文献１参照。）。
【特許文献１】特開平１１−４５１５４号公報
【考案の開示】
【考案が解決しようとする課題】
【０００４】
上記で示した従来のマウスは、そのマウス上面に左右に並ぶように機能ボタンを具えているのでマウス自体が幅広にならざるを得なかった。また、左右の機能ボタンをそれぞれ別の指で、すなわち２本の指を使用して操作する必要があった。
【０００５】
本考案のマウスは、上記のような従来の問題を解決したものであって、マウスの幅方向を狭めてスリムな形状にすることができ、一本の指を使用して２つの機能ボタンをそれぞれ押圧操作することができるマウスを提供することを目的としている。
【課題を解決するための手段】
【０００６】
上記のような課題を解決するために本考案の請求項１に係るマウスは、パーソナルコンピュータに用いるマウスであって、該マウス本体の上面には、水平部と、垂直部と、指を置くための指置部とを具え、前記水平部および前記垂直部にそれぞれ機能ボタンを配設して両機能ボタンを前後方向に位置させ、前記指置部の上部に置いた指、あるいは覆った指で前記両機能ボタンをそれぞれ押圧可能とした手段を採用した。
そして、前記水平部に下方に押圧可能な機能ボタンを、また、前記垂直部に後方に押圧可能な機能ボタンをそれぞれ配設した構成を有している。
【０００７】
本考案の請求項３に係るマウスは、パーソナルコンピュータに用いるマウスであって、該マウス本体の上部には、水平部と、垂直部と、指を置くための指置部とを具え、前記水平部および前記垂直部にそれぞれ機能ボタンを配設して両機能ボタンを前後方向に位置させ、前記指置部の上部に置いた指、あるいは覆った指で前記両機能ボタンをそれぞれ押圧可能とし、さらに前記マウス本体に回転可能なスクロール板を配設し、このスクロール板はその操作に応じて通常のスクロール機能や高速のスクロール機能を発揮させる手段を採用した。
そして、前記水平部に下方に押圧可能な機能ボタンを、また、前記垂直部に後方に押圧可能な機能ボタンをそれぞれ配設した構成を有している。
【考案の効果】
【０００８】
本考案の請求項１に係るマウスは、その上面に前後方向に並ぶように２つの機能ボタンを具えている。これにより、左右方向に２つの機能ボタンを配設したマウスよりも幅方向を狭めることができ、マウスの形状をスリムにすることができる。そして、請求項２に示すことにより、マウスの上面に１本の指を置き、この置いた一本の指の動作によって前後の機能ボタンをそれぞれ押す、あるいはマウスの上面を覆った指のうちの一本の指で前後の機能ボタンを押すことができる。
【０００９】
本考案の請求項３に係るマウスは、その上面に前後方向に並ぶように２つの機能ボタンと本体に回転可能なスクロール板を配設した。これにより、左右方向に２つの機能ボタンを配設したマウスよりも幅方向を狭めることができるとともに、スクロール機能を発揮させることができる。また、スクロール機能を通常のスクロール速度の場合と高速のスクロール速度を発揮できるように構成することができる。
そして、請求項４に示すことにより、マウスの上面に１本の指を置き、この置いた一本の指の動作によって前後の機能ボタンをそれぞれ押す、あるいはマウスの上面を覆った指のうちの一本の指で前後の機能ボタンを押すことができる。
【考案を実施するための最良の形態】
【００１０】
以下、図面に示した本考案の実施の形態について説明する。図１から図３には、本考案の第１の実施の形態であるマウスが示されており、図１は斜視図、図２は平面図、図３は側面図である。
【００１１】
図１から図３に示すように、マウス１は、上面に機能ボタン２、３をそれぞれ具え、マウス１を移動させた場合の移動方向および移動距離を検出できる検出部４を有するケース１０と、パーソナルコンピュータ（図示せず）に接続され、信号の伝達が可能である接続部５とを具えている。
【００１２】
ケース１０は、上面に水平部１３と、垂直部１４と、指置部１５とを具え、下面が開口している本体１１と、その本体１１の下面の開口部分を塞ぐように設けられる下蓋１２とからなっている。
【００１３】
この本体１１の水平部１３には機能ボタン２が、垂直部１４には機能ボタン３がそれぞれ設けられている。そして、垂直部１４から本体１１の後部にかけて本体１１の上面には指置部１５が設けられ、マウス１の使用時に、例えば人差し指の腹の部分を置くことや、複数の指で覆った状態とすることができる。
【００１４】
機能ボタン２は下方（図３のＡ方向）に押すことができ、機能ボタン３は後方（図３のＢ方向）に押すことができる。この機能ボタン２、３は、従来のマウスに設けられていた機能ボタンと同様の機能を有している。なお、機能ボタン２、３は、押圧を解除することで初期の位置に戻るようになっている。
【００１５】
検出部４は、ケース１０の内部に設けられ、マウス１を移動させた場合に、このマウス１の移動方向や移動距離を検出することができる機能を有している。この検出部４は、マウスボールを用いたボール式や、光学センサーを用いた光学式等がある。
【００１６】
接続部５は、マウス１を操作した場合に生じる信号をパーソナルコンピュータに伝達することができればよく、有線式のものや無線式のものが使用可能である。
【００１７】
マウス１は、上記で示したような構造になっているため、機能ボタン２、３を押すことにより、信号が接続部５を介してパーソナルコンピュータに伝達され、パーソナルコンピュータ上で各機能ボタンに応じた操作を行なうことができる。
【００１８】
また、マウス１を前後左右に移動させることで、移動方向および移動距離が検出部４で検出され、その検出された信号が接続部５を介してパーソナルコンピュータに伝達されてパーソナルコンピュータの画面上でカーソルを移動させることができる。
【００１９】
本考案によるマウス１は小型、幅狭のために、例えばパーソナルコンピュータの本体に収納可能としておくことでマウスの紛失を防止することができる。
【００２０】
上記のように構成したこの実施の形態のマウス１にあっては、本体１１の上面に前後方向に並ぶように機能ボタン２、３を具えているため、指一本の幅程度にスリム化することができる。
【００２１】
さらに、指置部１５上に指の腹部分を置いた状態、あるいは指置部１５を覆った状態で、両方の機能ボタン２、３を一本の指で操作することができる。
【００２２】
図４は本考案の他の実施の形態を示し、このマウス２１にあっても、本体３１の上面に水平部３３と垂直部３４とが設けられ、水平部３３に機能ボタン２２が、垂直部３４に機能ボタン２３がそれぞれ配設されている。これにより機能ボタン２２、２３は前後方向を向いた状態となっている。
【００２３】
垂直部３４から本体３１の後部にかけて本体３１の上面には指置部３５が設けられ、マウス２１の使用時に例えば人差し指の腹の部分を置くことができる。あるいはマウス２１の指置部３５を親指以外の指で覆った状態で位置することができる。
【００２４】
機能ボタン２２は下方に押すことができ、機能ボタン２３は後方に押すことができる。この機能ボタン２２、２３は、一般的なマウスの機能ボタンと同様の機能を有している。なお、機能ボタン２２、２３は、押圧を解除することで初期の位置に戻るようになっている。
【００２５】
本体３１の側面には水平方向に回転可能なスクロール板２４が配設されている。
【００２６】
検出部（図示せず）は、ケース１０の内部に設けられ、マウス２１を移動させた場合に、このマウス２１の移動方向や移動距離を検出することができる機能を有している。この検出部は、マウスボールを用いたボール式や、光学センサーを用いた光学式等がある。
【００２７】
接続部２５は、マウス２１を操作した場合に生じる信号をパーソナルコンピュータに伝達することができればよく、有線式や無線式が使用可能である。
【００２８】
マウス２１は、上記で示したような構造になっているため、機能ボタン２２、２３を押すことにより、信号が接続部２５を介してパーソナルコンピュータに伝達され、パーソナルコンピュータ上で各機能ボタン２２、２３に応じた操作を行なうことができる。
【００２９】
また、マウス２１を前後左右に移動させることで、移動方向および移動距離が検出部で検出され、その検出された信号が接続部２５を介してパーソナルコンピュータに伝達されてパーソナルコンピュータの画面上でカーソルを移動させることができる。
さらに、スクロール板２４を、例えば親指で回転することでパーソナルコンピュータの画面を上方、あるいは下方に迅速に移動させることができる。
【００３０】
本考案によるマウス２１は小型、幅狭のために、例えばパーソナルコンピュータの本体に収納可能としておくことでマウスの紛失を防止することができる。
【００３１】
上記のように構成したこの実施の形態のマウス２１にあっては、本体３１の上面に前後方向に並ぶように機能ボタン２２、２３を具えているため、指一本の幅程度にスリム化することができ、しかもスクロール機能を発揮することができる。
なお、スクロール板２４は本体３１の左側に設けて親指で操作するようにしたが、右側に配置して他の指で操作するように構成しても良い。
【図面の簡単な説明】
【００３２】
【図１】本考案の実施の形態であるマウスを示す概略斜視図である。
【図２】図１に示すマウスの概略平面図である。
【図３】図１に示すマウスの概略側面図である。
【図４】本考案の他の実施の形態であるマウスを示す概略斜視図である。
【符号の説明】
【００３３】
１、２１……マウス
２、３、２２、２３……機能ボタン
４……検出部
５、２５……接続部
１０……ケース
１１、３１……本体
１２……下蓋
１３、３３……水平部
１４、３４……垂直部
１５、３５……指置部
２４……スクロール板
Ａ、Ｂ……押す方向
【図１】
0003125129.tif 000003
【図２】
0003125129.tif 000004
【図３】
0003125129.tif 000005
【図４】
0003125129.tif 000006